(57)【要約】【課題】ドアのインナパネルの開口部から突出する突出物との接触よる異音の発生を招くことなく、しかも、高い吸音性能と遮音効果を発揮させて車室内の静粛性を向上させる。【解決手段】自動車用ドアホールシール材１は、樹脂製シート２とシート状発泡弾性材３とを備えている。樹脂製シート２には、衝撃吸収材１０５の突出方向先端側に対応する部分に貫通孔２ｃが形成されている。シート状発泡弾性材３は、側面視において樹脂製シート２の貫通孔２ｃの内周側で弛んでいる。【選択図】図２
2018058402.tif 000002
【特許請求の範囲】
【請求項１】
自動車用ドアのインナパネルに形成された開口部を閉塞する自動車用ドアホールシール材において、
上記インナパネルの上記開口部から車室内外方向に突出するように配設される突出物を突出方向先端側から覆うように配置され、上記開口部を閉塞するシート状発泡弾性材と、
上記シート状発泡弾性材が固着され、上記インナパネルに取り付けられる樹脂製シートとを備え、
上記樹脂製シートには、上記突出物の突出方向先端側に対応する部分に貫通孔が形成され、
上記シート状発泡弾性材は、側面視において上記樹脂製シートの上記貫通孔の内周側で弛んでいることを特徴とする自動車用ドアホールシール材。
【請求項２】
請求項１に記載の自動車用ドアホールシール材において、
上記樹脂製シートは、上記シート状発泡弾性材よりも伸びにくい材料で構成されていることを特徴とする自動車用ドアホールシール材。
【請求項３】
請求項１または２に記載の自動車用ドアホールシール材において、
上記シート状発泡弾性材における上記貫通孔の内周側に位置する弛んだ部分の厚みは、該シート状発泡弾性材における他の部分の厚みと略同等に設定されていることを特徴とする自動車用ドアホールシール材。
【請求項４】
請求項１から３のいずれか１つに記載の自動車用ドアホールシール材において、
上記シート状発泡弾性材は、上記樹脂製シートにおける上記貫通孔よりも外周部に対して全周に亘って溶着されていることを特徴とする自動車用ドアホールシール材。
【発明の詳細な説明】
【技術分野】
【０００１】
本発明は、例えば自動車ドアのインナパネルに形成されている開口部をシールするための自動車用ドアホールシール材に関し、特に、インナパネルの開口部から車室内外方向に突出する突出物を有しているドアのインナパネルに取り付けられる構造の技術分野に属する。
【背景技術】
【０００２】
自動車のドアのインナパネルには、ドアの内部に各種部品を取り付ける際の作業用の開口部やスピーカーを取り付けるための開口部等が形成されていて、これら開口部を閉塞するためのドアホールシール材が取り付けられている。
【０００３】
この種のドアホールシール材としては、例えば特許文献１、２に開示されているものが知られている。特許文献１のドアホールシール材は、樹脂シートで構成されている。樹脂シートの周縁部には、インナパネルへの接着部が設けられており、この接着部は、樹脂シートの他の部分に対して膨出させた段状に形成されているとともに、他の部分よりも薄肉に形成されている。
【０００４】
また、特許文献２のドアホールシール材は、弾性材からなるコア層と、コア層の両側に配置された非弾性スキン層とで構成されている。スキン層を構成している樹脂製フィルムは、弾性変形限界を超えるまで延伸させることによって塑性変形している。
【先行技術文献】
【特許文献】
【０００５】
【特許文献１】特開２００５−４７３７７号公報
【特許文献２】特開２００７−２９０６６８号公報
【発明の概要】
【発明が解決しようとする課題】
【０００６】
ところで、自動車ドアには、自動車の側面衝突時等に側方から乗員に作用する衝撃を緩和するための衝撃吸収部材が配設されることがある。この衝撃吸収部材は衝撃吸収効果を得るために車幅方向の寸法を所定以上確保する必要があり、このため、衝撃吸収部材がドアの車室内側からインナパネルの開口部を通ってドアの内部へ突出するように配設されることがある。
【０００７】
この場合に、例えば、特許文献１のようにドアホールシール材の一部を膨出させ、その膨出部分と衝撃吸収部材とを一致させてドアホールシール材と衝撃吸収部材との強干渉を回避することが考えられる。
【０００８】
ところが、特許文献１のドアホールシール材は、樹脂シートからなるものなので、例えば自動車の走行中の振動等によって衝撃吸収部材と接触したときに異音の発生原因になる恐れがある。また、特許文献１の樹脂シートはソリッドであることから吸音効果が低く、ドアホールシール材を設けたことによる車室内の静粛性の向上度合いは低いと考えられる。さらに、ドアホールシール材の一部を膨出させていることから一部が薄肉化しており、車室外の騒音が薄肉化した部分から透過し易いという問題もある。
【０００９】
そこで、特許文献２のようなドアホールシール材を用い、その一部を延伸させることによってドアホールシール材と衝撃吸収部材との強干渉を回避することが考えられる。ところが、特許文献２のスキン層は、非弾性スキン層であることから、特許文献１と同様に、自動車の走行中の振動等によって衝撃吸収部材と接触したときに異音の発生原因になる恐れがある。また、特許文献２では両側にスキン層があるので、吸音効果は低いと考えられる。さらに、スキン層が弾性変形限界を超えるまで延伸しているので薄肉化しており、また、コア層も衝撃吸収部材に沿って変形することで薄肉化する。つまり、特許文献２のドアホールシール材も車室外の騒音が透過し易いという問題がある。
【００１０】
本発明は、かかる点に鑑みてなされたものであり、その目的とするところは、ドアのインナパネルの開口部から車室内外方向に突出する突出物が配設される場合に、突出物との強干渉を回避できるようにするとともに、突出物との接触による異音の発生を招くことなく、しかも、高い吸音性能と遮音効果を発揮させて車室内の静粛性を向上させることにある。
【課題を解決するための手段】
【００１１】
上記目的を達成するために、本発明では、インナパネルに取り付けられる樹脂製シートと、インナパネルの開口部を閉塞するシート状発泡弾性材とを備え、シート状発泡弾性材は、樹脂製シートに固着された状態にあるときに該樹脂製シートの貫通孔の内周側で弛むようにした。
【００１２】
第１の発明は、自動車用ドアのインナパネルに形成された開口部を閉塞する自動車用ドアホールシール材において、上記インナパネルの上記開口部から車室内外方向に突出するように配設される突出物を突出方向先端側から覆うように配置され、上記開口部を閉塞するシート状発泡弾性材と、上記シート状発泡弾性材が固着され、上記インナパネルに取り付けられる樹脂製シートとを備え、上記樹脂製シートには、上記突出物の突出方向先端側に対応する部分に貫通孔が形成され、上記シート状発泡弾性材は、側面視において上記樹脂製シートの上記貫通孔の内周側で弛んでいることを特徴とする。
【００１３】
この構成によれば、シート状発泡弾性材が固着された樹脂製シートがドアのインナパネルに取り付けられ、この状態で、樹脂製シートの貫通孔が突出物の突出方向先端側に対応する部分に開口しており、さらに、シート状発泡弾性材が突出物を突出方向先端側から覆うように配置されてインナパネルの開口部を閉塞する。このとき、シート状発泡弾性材が樹脂製シートの貫通孔の内周側で弛んでいるので、インナパネルの開口部から車室内外方向に突出している突出物を避けるように配設されることになり、突出物とシート状発泡弾性材とが強干渉することはない。
【００１４】
また、自動車の走行時等の振動が発生した場合には、シート状発泡弾性材が突出物と接触したときに弾性変形するので異音の発生が未然に防止される。また、シート状発泡弾性材がインナパネルの開口部を覆っているので、騒音がシート状発泡弾性材によって吸音される。このとき、シート状発泡弾性材は突出物を避けるように配設されているが、初めから弛んでいるものなので無理に引っ張られることはなく、よって、シート状発泡弾性材の薄肉化が従来例のものに比べて抑制される。これにより、シート状発泡弾性材による高い吸音効果と遮音効果が維持される。
【００１５】
第２の発明は、第１の発明において、上記樹脂製シートは、上記シート状発泡弾性材よりも伸びにくい材料で構成されていることを特徴とする。
【００１６】
この構成によれば、樹脂製シートがシート状発泡弾性材よりも伸びにくいので、シート状発泡弾性材が弛むように樹脂製シートに固着された状態で、樹脂製シートがシート状発泡弾性材の復元力に負けて伸びてしまうことはなく、シート状発泡弾性材の弛みが維持される。
【００１７】
第３の発明は、第１または２の発明において、上記シート状発泡弾性材における上記貫通孔の内周側に位置する弛んだ部分の厚みは、該シート状発泡弾性材における他の部分の厚みと略同等に設定されていることを特徴とする。
【００１８】
この構成によれば、シート状発泡弾性材の弛んだ部分の厚みが他の部分と略同等となるように十分な厚みになるので、高い吸音効果が得られる。
【００１９】
第４の発明は、第１から３のいずれか１つの発明において、上記シート状発泡弾性材は、上記樹脂製シートにおける上記貫通孔よりも外周部に対して全周に亘って溶着されていることを特徴とする。
【００２０】
この構成によれば、シート状発泡弾性材が樹脂製シートにおける貫通孔よりも外周部に対して全周に亘って溶着されるので、シート状発泡弾性材が貫通孔の内周側で弛んだ状態を確実に維持することが可能になる。また、樹脂製シートの貫通孔の周縁部とシート状発泡弾性材との間から騒音や水が車室内に入ってくるのが抑制される。
【発明の効果】
【００２１】
第１の発明によれば、インナパネルに取り付けられる樹脂製シートと、インナパネルの開口部を閉塞するシート状発泡弾性材とを備え、シート状発泡弾性材は、樹脂製シートに固着された状態にあるときに該樹脂製シートの貫通孔の内周側で弛むようにしたので、異音の発生を招くことなく突出物との強干渉を回避することができ、しかも、高い吸音性能と遮音効果を発揮させて車室内の静粛性を向上させることができる。
【００２２】
第２の発明によれば、樹脂製シートがシート状発泡弾性材よりも伸びにくいので、樹脂製シートがシート状発泡弾性材の復元力に負けて伸びてしまうことはなく、シート状発泡弾性材の弛みを維持することができる。
【００２３】
第３の発明によれば、シート状発泡弾性材の弛んだ部分の厚みを十分な厚みにすることができ、高い吸音効果を得ることができる。
【００２４】
第４の発明によれば、シート状発泡弾性材を樹脂製シートにおける貫通孔よりも外周部に対して全周に亘って溶着したので、シート状発泡弾性材の弛みを確実に維持することができるとともに、シール性を向上させることができる。
【図面の簡単な説明】
【００２５】
【図１】実施形態に係る自動車用ドアホールシール材が取り付けられた自動車用ドアをインナパネル側から見た側面図であり、ドアトリム及び衝撃吸収材を省略した場合を示す。
【図２】図１におけるII−II線断面図であり、ドアトリム及び衝撃吸収材が取り付けられている場合を示す。
【図３】自動車用ドアホールシール材を車室内側から見た側面図である。
【図４】図３におけるIV−IV線断面図である。
【図５】樹脂製シートを車室内側から見た側面図である。
【図６】溶着前のシート状発泡弾性材を車室内側から見た側面図である。
【図７】樹脂製シート及びシート状発泡弾性材を溶着装置にセットした状態を示す縦断面図である。
【図８】樹脂製シート及びシート状発泡弾性材の溶着が完了した状態を示す図７相当図である。
【発明を実施するための形態】
【００２６】
以下、本発明の実施形態を図面に基づいて詳細に説明する。尚、以下の好ましい実施形態の説明は、本質的に例示に過ぎず、本発明、その適用物或いはその用途を制限することを意図するものではない。
【００２７】
図１は、本発明の実施形態に係る自動車用ドアホールシール材１が取り付けられた自動車用ドア１００をインナパネル側から見た側面図である。この図１では、図２に示しているドアトリム１０４及び衝撃吸収材１０５を省略している。自動車用ドア１００は、図示しないが乗用自動車の側部に形成されたドア開口部を開閉するためのものであり、前端部が車体のピラーに対してドアヒンジを介して回動自在に取り付けられている。
【００２８】
自動車用ドア１００は、該ドア１００の下側を構成するドア本体部１０１と、該ドア１００の上側を構成するサッシュ１０２と、ドアガラス１０３と、図２に示すドアトリム１０４と、図２に示す衝撃吸収材（突出物）１０５とを少なくとも備えている。サッシュ１０２は、ドアガラス１０３の周縁部を保持するとともにドアガラス１０３を上下方向に案内するものである。このサッシュ１０２は省略してもよい。
【００２９】
図２に示すように、ドア本体部１０１は、該ドア本体部１０１の車室外側を構成するアウタパネル１０７と、該ドア本体部１０１の車室内側を構成するインナパネル１０８とを備えており、アウタパネル１０７の周縁部と、インナパネル１０８の周縁部とが接合されることによって内部に空洞部Ｓが区画形成されている。
【００３０】
空洞部Ｓには、下降状態にあるドアガラス１０３が収容されるとともに、ドアガラス１０３を昇降させるウインドレギュレータ（図示せず）やドアガラス１０３を案内するガイドレール（図示せず）等が収容されるようになっている。図１に示すように、インナパネル１０８には、ドアホールと呼ばれる第１開口部１０８ａ、第２開口部１０８ｂ、第３開口部１０８ｃが形成されている。第１開口部１０８ａ、第２開口部１０８ｂ、第３開口部１０８ｃは、ウインドレギュレータ等の各種部品をドア本体部１０１の空洞部Ｓに収容する作業を行うためや、各種部品をインナパネル１０８等に取り付ける作業を行うために形成されており、これら作業のために形成された第１開口部１０８ａ、第２開口部１０８ｂ、第３開口部１０８ｃはサービスホールとなる。また、全てをサービスホールにしなくてもよく、第１開口部１０８ａ、第２開口部１０８ｂ、第３開口部１０８ｃのうち、少なくとも１つが、図示しないスピーカーを取り付けるためのものになる場合がある。尚、開口部１０８ａ、１０８ｂ、１０８ｃの形状、数、位置は、任意に設定することができる。
【００３１】
図２に一部のみ示すドアトリム１０４は、例えば樹脂材等からなるものであり、インナパネル１０８の車室内面を覆うように形成されて該インナパネル１０８の車室内側に取り付けられる。この実施形態では、ドアトリム１０４の車室外側に、衝撃吸収材１０５が設けられている。衝撃吸収材１０５は、自動車の側面衝突時等に側方から乗員に作用する衝撃を緩和するためのものであり、衝撃吸収効果を十分に得るために車幅方向の寸法が所定以上に設定されている。この所定寸法とは、ドアトリム１０４とインナパネル１０８との車幅方向の離間寸法よりも長い寸法である。このため、衝撃吸収材１０５の配設位置に対応するように、インナパネル１０８の第３開口部１０８ｃの形成位置が決定されている。つまり、車幅方向で見たとき、衝撃吸収材１０５がインナパネル１０８の第３開口部１０８ｃの内周側に位置するようになっており、これにより、衝撃吸収材１０５がインナパネル１０８の第３開口部１０８ｃから空洞部Ｓ内（車幅方向外側）へ向けて突出するように配設される。
【００３２】
（自動車用ドアホールシール材の構成）
自動車用ドアホールシール材１は、インナパネル１０８の第１開口部１０８ａ、第２開口部１０８ｂ、第３開口部１０８ｃを車室内側から閉塞するため部材であり、樹脂製シート２と、シート状発泡弾性材３とを備えている。
【００３３】
樹脂製シート２は、例えばポリエチレンシート等からなるものであり、例えば前後方向や上下方向に引っ張ったときにシート状発泡弾性材３よりも伸びにくい材料で構成されている。樹脂製シート２は、インナパネル１０８の第１開口部１０８ａ、第２開口部１０８ｂ、第３開口部１０８ｃが形成された範囲よりも大きな外形状を有している。樹脂製シート２の厚みは、例えば０．１ｍｍ程度に設定することができる。樹脂製シート２は、その周縁部の全周がインナパネル１０８の車室内面に対して例えばブチルシーラント等により貼り付けられた状態で該インナパネル１０８に取り付けられるようになっている。
【００３４】
図１に示すように、樹脂製シート２には、インナパネル１０８の第１開口部１０８ａと重なる部分に第１貫通孔２ａが形成され、また、インナパネル１０８の第２開口部１０８ｂと重なる部分に第２貫通孔２ｂが形成され、さらに、インナパネル１０８の第３開口部１０８ｃと重なる部分に第３貫通孔２ｃが形成されている。図２に示すように、第３貫通孔２ｃは、樹脂製シート２において衝撃吸収材１０５の突出方向先端側（車室外側）に対応する部分に形成されている。従って、衝撃吸収材１０５の突出方向先端側は、第３貫通孔２ｃの内周側に配置されることになる。
【００３５】
シート状発泡弾性材３は、例えばエチレン・プロピレン・ジエンゴム（ＥＰＤＭ）、クロロプレンゴム（ＣＲ）、スチレン・ブタジエンゴム（ＳＢＲ）、アクリロニトリル・ブタジエンゴム（ＮＢＲ）等の各種ゴム、あるいはオレフィン系（ＴＰＯ）やスチレン系（ＴＰＳ）等の各種熱可塑性エラストマーの発泡体等を使用することができ、厚みは、樹脂製シート２よりも厚く、例えば１０ｍｍ程度に設定することができる。また、シート状発泡弾性材３の外形状は、樹脂製シート２の外形状よりも小さくなっている。シート状発泡弾性材３は、樹脂製シート２の車室内側に固着されており、この実施形態では、後述する溶着方法によってシート状発泡弾性材３が樹脂製シート２に溶着されている。
【００３６】
上記樹脂製シート２は、主にシート状発泡弾性材３をインナパネル１０８に取り付けるための取付部材として機能するものであるのに対し、シート状発泡弾性材３は、主にインナパネル１０８の第１開口部１０８ａ、第２開口部１０８ｂ、第３開口部１０８ｃを閉塞するためのものであり、吸音性と遮音性とを有している。シート状発泡弾性材３における第３開口部１０８ｃを閉塞する部分は、該第３開口部１０８ｃから車室外側に突出する衝撃吸収材１０５を突出方向先端側から覆うように配置されることになる。
【００３７】
樹脂製シート２とシート状発泡弾性材３との溶着部分は図３に斜線で示した部分であり、外周溶着部４と、中間溶着部５と、後側溶着部６とからなる。外周溶着部４は、樹脂製シート２の外周部とシート状発泡弾性材３の外周部とを溶着する部分であり、環状に延びている。中間溶着部５は、樹脂製シート２における第２貫通孔２ｂと第１貫通孔２ａ及び第３貫通孔２ｃとの間の部分と、シート状発泡弾性材３における前後方向中間部とを溶着する部分であり、上下方向に延びている。この中間溶着部５の上端部及び下端部は外周溶着部４の上部及び下部とそれぞれ連続している。後側溶着部６は、樹脂製シート２における第１貫通孔２ａと第３貫通孔２ｃとの間の部分と、シート状発泡弾性材３における略後半部の上下方向中間部とを溶着する部分であり、前後方向に延びている。後側溶着部６の前端部は中間溶着部５の上下方向中間部と連続し、また、後側溶着部６の後端部は外周溶着部４の後部と連続している。
【００３８】
上述のように溶着部４〜６を形成することで、樹脂製シート２の第１貫通孔２ａの周縁部とシート状発泡弾性材３との間、第２貫通孔２ｂの周縁部とシート状発泡弾性材３との間、第３貫通孔２ｃの周縁部とシート状発泡弾性材３との間が全てシールされる。尚、溶着部４〜６の位置や形状は、樹脂製シート２の貫通孔の位置や形状、貫通孔の数等によって変えることができる。また、シート状発泡弾性材３は樹脂製シート２に接着剤によって接着するようにしてもよい。
【００３９】
図３に示す側面視で、シート状発泡弾性材３における樹脂製シート２の第３貫通孔２ｃの内周側に位置する部分３ｄは、衝撃吸収材１０５を突出方向先端側から覆う覆い部である。この覆い部３ｄは、樹脂製シート２の第３貫通孔２ｃの内周側で弛んでおり、これにより、図４に示すように、シート状発泡弾性材３の覆い部３ｄが車室外側へ向かって盛り上がるようになる。シート状発泡弾性材３の覆い部３ｄの厚みは、該シート状発泡弾性材３の他の部分の厚みと略同等に設定されている。略同等とは、覆い部３ｄと、シート状発泡弾性材３の他の部分（例えば第１開口部１０８ａや第２開口部１０８ｂを覆う部分）との吸音性及び遮音性を比較したときに実質的に差が殆どない程度であり、覆い部３ｄの厚みが、シート状発泡弾性材３の他の部分の厚みの９０％以上１１０％以下となるようにするのが好ましい。
【００４０】
シート状発泡弾性材３の覆い部３ｄの弛み度合いは、衝撃吸収材１０５を突出方向先端側から覆った際に、シート状発泡弾性材３が無理に引っ張られることがないように、即ち衝撃吸収材１０５との強干渉を回避できるように設定されている。すなわち、衝撃吸収材１０５をシート状発泡弾性材３の覆い部３ｄによって突出方向先端側から覆うと、衝撃吸収材１０５がインナパネル１０８の第３開口部１０８ｃから車室外側へ突出している分、覆い部３ｄが車室外側へ盛り上がるような形状になり、このときに、衝撃吸収材１０５の先端部によって覆い部３ｄが車室外側へ押される場合がある。これによりシート状発泡弾性材３が引っ張り力を受けることになる。この引っ張り力が強いと、シート状発泡弾性材３が樹脂製シート２に固着されていることから、樹脂製シート２が引っ張られることになり、樹脂製シート２をインナパネル１０８へ取り付けた後に、ドアトリム１０４をインナパネル１０８へ取り付ける際の作業性が悪化したり、仮に取り付けられたとしても経時的に樹脂製シート２がインナパネル１０８から剥がれることが考えられる。本実施形態では、衝撃吸収材１０５の先端部によって覆い部３ｄが車室外側へ押されたとしても、シート状発泡弾性材３に作用する引っ張り力が大きくならないようにして、ドアトリム１０４をインナパネル１０８へ取り付ける際の作業性を良好にするとともに、経時的に樹脂製シート２がインナパネル１０８から剥がれないようにしている。
【００４１】
また、シート状発泡弾性材３の覆い部３ｄの弛み度合いは、覆い部３ｄが衝撃吸収材１０５の先端部に接触するだけで引っ張り力を殆ど受けないように設定することもできる。これにより、シート状発泡弾性材３の覆い部３ｄの厚みが殆ど薄くならないので、覆い部３ｄの吸音性及び遮音性の低下が抑制される。
【００４２】
樹脂製シート２に溶着する前のシート状発泡弾性材３の外形状は、図６に実線で示す形状であり、樹脂製シート２に溶着した後のシート状発泡弾性材３の外形状は、同図に仮想線で示す形状（図１や図３にも示す形状）である。つまり、樹脂製シート２に溶着する前は、溶着後に比べてシート状発泡弾性材３の略後半部が下方及び後方へ拡大した形状とされており、この下方及び後方へ拡大していた実線部分が仮想線まで退避する結果、溶着後に覆い部３ｄの弛みが形成されることになる。
【００４３】
このことについて図７及び図８に基づいて詳細に説明する。図７及び図８は、樹脂製シート２にシート状発泡弾性材３を溶着する溶着装置５０及び溶着方法を示している。まず、溶着装置５０について説明すると、溶着装置５０は、上側可動盤５１と、上側可動盤５１の下面と対向するように配置される下側固定盤５２と、上側可動盤５１を上下方向に動かすための駆動装置５３とを有している。上側可動盤５１の下面には、樹脂製シート２を溶融温度以上まで加熱するためのヒーター（図示せず）を内蔵した加熱部材５１ａが下方へ突出するように配設されている。この加熱部材５１ａは、図７及び図８では一部のみ示しており、実際には、図３に示す外周溶着部４、中間溶着部５及び後側溶着部６の形状に対応するように設けられている。
【００４４】
一方、下側固定盤５２の上面には、上方へ膨出する膨出型５２ａが設けられている。膨出型５２ａは、シート状発泡弾性材３に弛みを生じさせて覆い部３ｄを形成するための型であり、溶着後に上述した弛み度合いとなるように、膨出型５２ａの膨出量及び外形状が設定されている。
【００４５】
次に、溶着方法について説明する。まず、図７に示すように上側可動盤５１を上昇させた状態にしておき、下側固定盤５２の上面にシート状発泡弾性材３、樹脂製シート２の順で重ねる。このとき、膨出型５２ａによってシート状発泡弾性材３が盛り上がるような形状になる。また、樹脂製シート２の第３貫通孔２ｃの内周側にシート状発泡弾性材３の盛り上がった部分が位置するように配置しておく。
【００４６】
その後、図８に示すように、駆動装置５３により上側可動盤５１を下降させて加熱部材５１ａにより樹脂製シート２をシート状発泡弾性材３に押し付ける。これにより、シート状発泡弾性材３が膨出型５２ａの外面に密着するとともに、加熱部材５１ａの加熱によって樹脂製シート２にシート状発泡弾性材３が溶着される。このとき、覆い部３ｄになる部分は加熱しないので、覆い部３ｄになる部分が熱変形することはなく、薄肉化が抑制される。
【００４７】
次いで、図示しないが駆動装置５３により上側可動盤５１を上昇させると、図３に示すように、弛みが生じた覆い部３ｄを有する自動車用ドアホールシール材１が得られる。
【００４８】
（実施形態の作用効果）
上記のように構成された自動車用ドアホールシール材１をドア１００のインナパネル１０８に取り付ける際には、シート状発泡弾性材３の覆い部３ｄに弛みが生じているので、衝撃吸収材１０５がインナパネル１０８の第３開口部１０８ｃから車室外側へ向けて突出していても、衝撃吸収材１０５との強干渉を回避しながら、覆い部３ｄによって衝撃吸収材１０５を先端側から覆うことができる。
【００４９】
自動車用ドアホールシール材１をドア１００のインナパネル１０８に取り付けた状態では、インナパネル１０８の第１開口部１０８ａ、第２開口部１０８ｂ、第３開口部１０８ｃが閉塞されるので、騒音や雨水等が第１開口部１０８ａ、第２開口部１０８ｂ、第３開口部１０８ｃから車室内に入りにくくなり、シール性が得られる。この状態で、例えば自動車の走行中に振動が発生した場合には、シート状発泡弾性材３の覆い部３ｄが弾性変形するので衝撃吸収材１０５との接触による異音の発生が未然に防止される。
【００５０】
また、シート状発泡弾性材３がインナパネル１０８の第１開口部１０８ａ、第２開口部１０８ｂ、第３開口部１０８ｃを覆っているので、騒音がシート状発泡弾性材３によって吸音される。このとき、シート状発泡弾性材３は衝撃吸収材１０５を避けるように配設されているが、覆い部３ｄが初めから弛んでいるものなので無理に引っ張られることはなく、よって、シート状発泡弾性材３の薄肉化が従来例のものに比べて抑制される。これにより、シート状発泡弾性材３による高い吸音効果と遮音効果が維持される。したがって、車室の静粛性を向上させることができる。
【００５１】
また、樹脂製シート２がシート状発泡弾性材３よりも伸びにくい材料からなるものなので、覆い部３ｄを形成する際にシート状発泡弾性材３を弛ませた状態で樹脂製シート２に固着したときに、樹脂製シート２がシート状発泡弾性材３の復元力に負けて伸びてしまうことはなく、シート状発泡弾性材３の覆い部３ｄの弛みを維持することができる。
【００５２】
（その他の実施形態）
上記実施形態では、衝撃吸収材１０５がインナパネル１０８の第３開口部１０８ｃから車室外側に突出するように配設されている場合について説明したが、これに限らず、衝撃吸収材１０５がインナパネル１０８の別の開口部１０８ａ、１０８ｂから車室外側に突出するように配設されている場合にも本発明を適用することができる。この場合、衝撃吸収材１０５の配設位置に対応する部分に、弛みが生じた覆い部３ｄを形成すればよい。
【００５３】
また、上記実施形態では、衝撃吸収材１０５が本発明の突出物である場合について説明したが、突出部は衝撃吸収材に限られるものではなく、ドア１００に設けられる各種部品であってもよい。
【００５４】
また、上記実施形態では、衝撃吸収材１０５が車室外側へ突出する場合について説明したが、これに限られるものではなく、例えば、ドア本体部１０１の内部からインナパネル１０８の開口部を通って車室内側へ突出する突出物を設け、この突出物を覆う覆い部３ｄを、弛ませた状態でシート状発泡弾性材３に形成してもよい。
【００５５】
上述の実施形態はあらゆる点で単なる例示に過ぎず、限定的に解釈してはならない。さらに、特許請求の範囲の均等範囲に属する変形や変更は、全て本発明の範囲内のものである。
【産業上の利用可能性】
【００５６】
以上説明したように、本発明に係る自動車用ドアホールシール材は、例えば衝撃吸収材を備えたドアのインナパネルに取り付けて使用することができる。
【符号の説明】
【００５７】
１              自動車用ドアホールシール材
２              樹脂製シート
２ｃ            第３貫通孔
３              シート状発泡弾性材
３ｄ            覆い部
１００          ドア
１０５          衝撃吸収材
１０８          インナパネル
１０８ｃ        第３開口部
【図１】
2018058402.tif 000003
【図２】
2018058402.tif 000004
【図３】
2018058402.tif 000005
【図４】
2018058402.tif 000006
【図５】
2018058402.tif 000007
【図６】
2018058402.tif 000008
【図７】
2018058402.tif 000009
【図８】
2018058402.tif 000010